(57)【要約】      （修正有）【課題】立体化オブジェクトを含む画像の中の立体化オブジェクトを一覧表示させることで、立体化オブジェクトを含む画像の立体化オブジェクトを容易に確認することができる。【解決手段】ユーザが、印刷プレビュー画面を立ち上げるように指示すると、プレビュー表示受付部１０がプレビュー表示部１３にプレビュー表示の指示を行い、プレビュー表示部１３が印刷プレビュー画面を表示し、立体化オブジェクト表示部１４が立体化オブジェクトの詳細を表示する。さらに、ユーザが、印刷プレビュー画面より所望のオブジェクトの立体化の指示を行うと、立体化指定部１１がオブジェクトの立体化を指定し、立体化オブジェクト認識部１２が指定されたオブジェクトを認識して、プレビュー表示部１３が立体化オブジェクトとして表示し、立体化オブジェクト表示部１４が表示する立体化オブジェクトの詳細において、高さ等の設定を行うことができる。【選択図】図１
2006252288.tif 000002
【特許請求の範囲】
【請求項１】
複数のオブジェクトを含む画像を形成する画像形成処理装置において、
前記複数のオブジェクトの中の所望のオブジェクトの立体化を指定する立体化指定手段と、
前記立体化指定手段で立体化が指定されたオブジェクトを認識する立体化オブジェクト認識手段と、
立体化オブジェクトを含む画像のプレビュー表示を指示するプレビュー表示指示手段と、
前記プレビュー表示指示手段で指示されたプレビュー表示指示に応答して前記立体化オブジェクトを含む画像をプレビュー表示するプレビュー表示手段と、
前記プレビュー表示手段で表示された前記立体化オブジェクトを含む画像の中の立体化オブジェクトを一覧表示する一覧表示手段と
を具備することを特徴とする画像形成処理装置。
【請求項２】
前記一覧表示手段は、
前記立体化オブジェクトに対応して立体化する高さを数値で表示する
ことを特徴とする請求項１記載の画像形成処理装置。
【請求項３】
前記一覧表示手段で一覧表示された立体化オブジェクトの中の所望の立体化オブジェクトを選択する立体化オブジェクト選択手段と、
前記立体化オブジェクト選択手段で選択された立体化オブジェクトの断面形状を表示する断面形状表示手段と
を更に具備することを特徴とする請求項１または２記載の画像形成処理装置。
【請求項４】
前記プレビュー表示手段は、
前記立体化オブジェクト選択手段で選択された立体化オブジェクトをハイライト表示するハイライト表示手段
を具備することを特徴とする請求項３記載の画像形成処理装置。
【請求項５】
複数のオブジェクトを含む画像を形成する画像形成処理装置のプレビュー表示方法において、
前記複数のオブジェクトの中の所望のオブジェクトの立体化を立体化指定手段により指定し、
前記立体化指定手段で立体化が指定されたオブジェクトを立体化オブジェクト認識手段により認識し、
立体化オブジェクトを含む画像のプレビュー表示をプレビュー表示指示手段により指示し、
前記プレビュー表示指示手段で指示されたプレビュー表示指示に応答して前記立体化オブジェクトを含む画像をプレビュー表示手段によりプレビュー表示し、
前記プレビュー表示手段で表示された前記立体化オブジェクトを含む画像の中の立体化オブジェクトを一覧表示手段により一覧表示する
ことを特徴とする画像形成処理装置のプレビュー表示方法。
【請求項６】
ドキュメントを印刷前にプレビューするプレビュー表示方法において、
前記ドキュメントに含まれる立体化オブジェクトの任意の場所の鳥瞰図を拡大表示手段により拡大して表示する
ことを特徴とするプレビュー表示方法。
【請求項７】
ドキュメントを印刷前にプレビューするプレビュー表示方法において、
前記ドキュメントに含まれる立体化オブジェクトの任意の場所の断面形状を断面形状表示手段により表示する
ことを特徴とするプレビュー表示方法。
【請求項８】
前記拡大表示手段は、
任意の拡大率を拡大率設定手段によって設定する
ことを特徴とする請求項６記載のプレビュー表示方法。
【請求項９】
前記拡大表示手段は、
立体化オブジェクトの高さ方向の任意の拡大率を高さ方向拡大率設定手段によって設定する
ことを特徴とする請求項６記載のプレビュー表示方法。
【請求項１０】
前記断面形状表示手段は、
任意の拡大率を拡大率設定手段によって設定する
ことを特徴とする請求項７記載のプレビュー表示方法。
【請求項１１】
前記断面形状表示手段は、
立体化オブジェクトの高さ方向の任意の拡大率を高さ方向拡大率設定手段により設定する
ことを特徴とする請求項７記載のプレビュー表示方法。
【請求項１２】
ドキュメント中の指定したオブジェクトをユーザの望む仕様で立体印刷することが出来る印刷処理を行う印刷処理方法において、
立体印刷の印字機能の効果を予め確認することが出来るサンプルプリントに含まれる立体化オブジェクトの生成パターンをユーザより受け付けるユーザ・インタフェース画面を表示手段により表示し、
前記表示手段で表示されたユーザ・インタフェース画面において受け付けたサンプルプリントを、立体印刷するように印刷指示手段により立体印刷機能を備えた画像形成装置に指示する
ことを特徴とする印刷処理方法。
【請求項１３】
前記サンプルプリントに含まれる個々の立体化オブジェクトを立体印刷する印字機能である高さ、盛り上がり形状及び前記個々の立体化オブジェクトを強調する強調方法のうちの少なくとも１つを前記表示手段で表示されるユーザ・インタフェース画面で印字機能設定手段によって設定する
ことを特徴とする請求項１２記載の印刷処理方法。
【請求項１４】
前記印刷指示手段による立体印刷の指示に際して、前記サンプルプリントに含まれる個々の立体化オブジェクトに設定された立体印刷する印字機能を、前記サンプルプリントに印刷させるように画像形成装置に印字機能印刷指示手段により指示する
ことを特徴とする請求項１３記載の印刷処理方法。
【請求項１５】
複数のオブジェクトを含む画像を形成する画像形成処理装置にプレビュー表示を行わせるプレビュー表示プログラムであって、
前記複数のオブジェクトの中の所望のオブジェクトの立体化を指定するステップと、
立体化が指定されたオブジェクトを認識するステップと、
立体化オブジェクトを含む画像のプレビュー表示を指示するステップと、
プレビュー表示の指示に応答して立体化オブジェクトを含む画像をプレビュー表示するステップと、
プレビュー表示された立体化オブジェクトを含む画像の中の立体化オブジェクトを一覧表示するステップと
を含むことを特徴とするプレビュー表示プログラム。
【発明の詳細な説明】
【技術分野】
【０００１】
本発明は、画像が印刷される結果を容易に確認する画像形成処理装置および画像形成処理装置のプレビュー表示方法およびプレビュー表示方法および印刷処理方法に関し、特に、立体プリントとして立体印刷される画像の印刷結果を効果的に確認することができる画像形成処理装置および画像形成処理装置のプレビュー表示方法およびプレビュー表示方法および印刷処理方法に関する。
【背景技術】
【０００２】
従来より、作成した文書等の印刷データを、印刷装置で実際に印刷する前に、いわゆる印刷プレビュー機能を使用して、印刷結果をユーザが事前に確認することができる技術が存在した。
【０００３】
印刷プレビュー機能は、印刷装置で印刷データが印刷処理された印刷結果の画像を模擬的に作成し、それを表示装置へ出力して、該表示装置上でユーザが印刷結果の画像を確認するものである。
【０００４】
この機能を用いることによって、印刷画像を用紙などの記録媒体に実際に印刷して確認するという作業を何度も繰り返す必要がなく、文書・画像の印刷において、時間やコストの低減が可能である。
【０００５】
たとえば、特許文献１に開示された電子文書プレビュー方法及びシステムは、電子文書と関連した文書情報が、クライアント側から選択された印刷装置へ送信され、選択された印刷装置は、文書情報を受信した後、受信した文書情報と選択された印刷装置に関連し、一般的に要求元のクライアント側では利用できない一つ以上の特性とに基づいて、プレビュー文書データを生成し、選択された印刷装置からクライアント側へプレビュー文書データが送信され、クライアント側で電子文書のプレビューバージョンを表示させるように構成されている。
【０００６】
また、実際に印刷画像を記録媒体に印刷する印刷装置は、従来、記録媒体上にあくまで平面的に画像を形成する画像形成装置が主に利用されていた。
【０００７】
しかし、近年、記録媒体上に立体的な画像を形成する方法として、一般の複写機やプリンタ等を使用して、容易に立体的な画像を形成し得る熱発泡性の画像形成用トナーや、当該画像形成用トナーを用いて、電子写真方式や静電記録方式を適用し、立体的な画像を形成するプリンタや複写機等の画像形成装置が提案されている。
【０００８】
立体的な画像は、平面的な視覚情報だけ出なく、高低さによる陰影や指の触覚などから、３次元的な情報を第三者に伝えることができ、非常に有用である。
【０００９】
特に、立体的な画像の有効な使われ方としては、点字用の文字や、点字用の画像などが挙げられ、立体的な画像は、言語情報だけでなく、地形を表す地図などの画像情報としても使われ、視覚障害の人に対し必要不可欠なものとなっている。
【００１０】
近年、視覚障害者などが社会で活躍する機会も増えてきており、点字用の文字等以外にも立体的に印刷された画像を活用することによって、視覚障害者の活躍の場が広がるものと予想される。
【００１１】
立体的な画像を形成する技術としては、例えば、下記特許文献２、３、４に、電子写真記録プロセスの中で、発泡トナー像の上に所定の色の色材を含有するトナー像を載せていき、定着工程での加熱により発泡トナー像を発泡させたうえでその上に載せられた各色トナー像を溶融・固着させることで立体的な画像を形成する技術が開示されている。
【００１２】
このような技術を使って立体印刷を行う際にも、ユーザが、印刷される画像を印刷前に事前に確認することができる印刷プレビュー機能は、平面的な印刷を行う場合と同じように、実際に印刷して確認するという作業を何度も繰り返す必要がなくなり、時間やコストの低減が可能である。
【特許文献１】特開２００２−１９６９０１号公報
【特許文献２】特開２００１−１３４００６号公報
【特許文献３】特開２００１−１３４０９１号公報
【特許文献４】特開２００１−１９４８４６号公報
【発明の開示】
【発明が解決しようとする課題】
【００１３】
ところが、従来の印刷プレビュー機能は、平面的に形成される文字や図形等については、印刷前に確認する機能はあったのだが、立体的な高さ方向の特性をもつ立体プリントについては、印刷前に、印刷される画像を効果的に確認する印刷プレビュー機能は存在しなかった。
【００１４】
そこで、この発明は、立体プリントとして立体印刷される画像の印刷結果を効果的に確認する画像形成処理装置および画像形成処理装置のプレビュー表示方法およびプレビュー表示方法および印刷処理方法を提供することを目的とする。
【課題を解決するための手段】
【００１５】
上記目的を達成する為、請求項１の発明は、複数のオブジェクトを含む画像を形成する画像形成処理装置において、前記複数のオブジェクトの中の所望のオブジェクトの立体化を指定する立体化指定手段と、前記立体化指定手段で立体化が指定された立体化オブジェクトを認識する立体化オブジェクト認識手段と、立体化オブジェクトを含む画像のプレビュー表示を指示するプレビュー表示指示手段と、前記プレビュー表示指示手段で指示されたプレビュー表示に応答して前記立体化オブジェクトを含む画像をプレビュー表示するプレビュー表示手段と、前記プレビュー表示手段で表示された前記立体化オブジェクトを含む画像の中の立体化オブジェクトを一覧表示する一覧表示手段とを具備することを特徴とする。
【００１６】
また、請求項２の発明は、請求項１の発明において、前記一覧表示手段は、前記立体化オブジェクトに対応して立体化する高さを数値で表示することを特徴とする。
【００１７】
また、請求項３の発明は、請求項１または２の発明において、前記一覧表示手段で一覧表示された立体化オブジェクトの中の所望の立体化オブジェクトを選択する立体化オブジェクト選択手段と、前記立体化オブジェクト選択手段で選択された立体化オブジェクトの断面形状を表示する断面形状表示手段とを更に具備することを特徴とする。
【００１８】
また、請求項４の発明は、請求項３の発明において、前記プレビュー表示手段は、前記立体化オブジェクト選択手段で選択された立体化オブジェクトをハイライト表示するハイライト表示手段を具備することを特徴とする。
【００１９】
また、請求項５の発明は、複数のオブジェクトを含む画像を形成する画像形成処理装置のプレビュー表示方法において、前記複数のオブジェクトの中の所望のオブジェクトの立体化を立体化指定手段により指定し、前記立体化指定手段で立体化が指定された立体化オブジェクトを立体化オブジェクト認識手段により認識し、立体化オブジェクトを含む画像のプレビュー表示をプレビュー表示指示手段により指示し、前記プレビュー表示指示手段で指示されたプレビュー表示に応答して前記立体化オブジェクトを含む画像をプレビュー表示手段によりプレビュー表示し、前記プレビュー表示手段で表示された前記立体化オブジェクトを含む画像の中の立体化オブジェクトを一覧表示手段により一覧表示することを特徴とする。
【００２０】
また、請求項６の発明は、ドキュメントを印刷前にプレビューするプレビュー表示方法において、前記ドキュメントに含まれる立体化オブジェクトの任意の場所の鳥瞰図を拡大表示手段により拡大して表示することを特徴とする。
【００２１】
また、請求項７の発明は、ドキュメントを印刷前にプレビューするプレビュー表示方法において、前記ドキュメントに含まれる立体化オブジェクトの任意の場所の断面形状を断面形状表示手段により表示することを特徴とする。
【００２２】
また、請求項８の発明は、請求項６の発明において、前記拡大表示手段は、任意の拡大率を拡大率設定手段によって設定することを特徴とする。
【００２３】
また、請求項９の発明は、請求項６の発明において、前記拡大表示手段は、立体化オブジェクトの高さ方向の任意の拡大率を高さ方向拡大率設定手段によって設定することを特徴とする。
【００２４】
また、請求項１０の発明は、請求項７の発明において、前記断面形状表示手段は、任意の拡大率を拡大率設定手段によって設定することを特徴とする。
【００２５】
また、請求項１１の発明は、請求項７の発明において、前記断面形状表示手段は、立体化オブジェクトの高さ方向の任意の拡大率を高さ方向拡大率設定手段により設定することを特徴とする。
【００２６】
また、請求項１２の発明は、ドキュメント中の指定したオブジェクトをユーザの望む仕様で立体印刷することが出来る印刷処理を行う印刷処理方法において、立体印刷の印字機能の効果を予め確認することが出来るサンプルプリントに含まれる立体化オブジェクトの生成パターンをユーザより受け付けるユーザ・インタフェース画面を表示手段により表示し、前記表示手段で表示されたユーザ・インタフェース画面において受け付けたサンプルプリントを、立体印刷するように印刷指示手段により立体印刷機能を備えた画像形成装置に指示することを特徴とする。
【００２７】
また、請求項１３の発明は、請求項１２の発明において、前記サンプルプリントに含まれる個々の立体化オブジェクトを立体印刷する印字機能である高さ、盛り上がり形状及び前記個々の立体化オブジェクトを強調する強調方法のうちの少なくとも１つを前記表示手段で表示されるユーザ・インタフェース画面で印字機能設定手段によって設定することを特徴とする。
【００２８】
また、請求項１４の発明は、請求項１３の発明において、前記印刷指示手段による立体印刷の指示に際して、前記サンプルプリントに含まれる個々の立体化オブジェクトに設定された立体印刷する印字機能を、前記サンプルプリントに印刷させるように画像形成装置に印字機能印刷指示手段により指示することを特徴とする。
【００２９】
また、請求項１５の発明は、複数のオブジェクトを含む画像を形成する画像形成処理装置にプレビュー表示を行わせるプレビュー表示プログラムであって、前記複数のオブジェクトの中の所望のオブジェクトの立体化を指定するステップと、立体化が指定された立体化オブジェクトを認識するステップと、立体化オブジェクトを含む画像のプレビュー表示を指示するステップと、プレビュー表示の指示に応答して立体化オブジェクトを含む画像をプレビュー表示するステップと、プレビュー表示された立体化オブジェクトを含む画像の中の立体化オブジェクトを一覧表示するステップとを含むことを特徴とする。
【発明の効果】
【００３０】
本発明の、画像形成処理装置によれば、複数のオブジェクトの中の所望のオブジェクトの立体化を指定する立体化指定手段と、立体化指定手段で立体化が指定された立体化オブジェクトを認識する立体化オブジェクト認識手段と、立体化オブジェクトを含む画像のプレビュー表示を指示するプレビュー表示指示手段と、プレビュー表示指示手段で指示されたプレビュー表示に応答して立体化オブジェクトを含む画像をプレビュー表示するプレビュー表示手段と、プレビュー表示手段で表示された立体化オブジェクトを含む画像の中の立体化オブジェクトを一覧表示する一覧表示手段とを具備するように構成したので、立体プリントとして立体印刷される画像の印刷結果を効果的に確認することができるという効果を奏する。
【発明を実施するための最良の形態】
【００３１】
以下、本発明に係わる画像形成処理装置および画像形成処理装置のプレビュー表示方法およびプレビュー表示方法および印刷処理方法について添付図面を参照して説明する。
【実施例１】
【００３２】
本実施例においては、画像形成処理装置および画像形成処理装置のプレビュー表示方法の実施例について添付図面を参照して詳細に説明する。
【００３３】
ユーザは、パーソナルコンピュータ等の画像形成処理装置を操作して、立体化オブジェクトを含む画像の印刷イメージを確認する為に、印刷プレビュー画面の表示を行なう。
【００３４】
まず、画像形成処理装置内の印刷プレビュー画面の表示を行なうアプリケーションの働きについて図１を参照して説明を行なう。
【００３５】
図１は、画像形成処理装置内の、立体化オブジェクトを含む画像の印刷プレビュー表示を行なうアプリケーションの働きについて示すブロック図である。
【００３６】
図１に示されるように、ユーザから、画像のプレビュー表示の指示をプレビュー表示受付部１０が受け付けてプレビュー表示部１３にプレビュー表示の指示を行い、プレビュー表示部１３によって画像のプレビュー表示が行なわれる。
【００３７】
立体化オブジェクトに関しては、プレビュー表示部１３内の立体化オブジェクト表示部１４がプレビューする画像内の立体化オブジェクトの詳細を一覧表示する。
【００３８】
プレビュー表示部１３によってプレビュー表示されたプレビュー画面より、ユーザが所望のオブジェクトの立体化を指示すると、立体化指定部１１によりユーザが所望するオブジェクトの立体化の指定が行なわれる。
【００３９】
所望のオブジェクトの立体化の指定が行なわれると、立体化オブジェクト認識部１２が指定が行なわれたオブジェクトを立体化オブジェクトとして認識する。
【００４０】
立体化オブジェクト認識部１２によって認識されたオブジェクトは、プレビュー表示部１３によって立体化オブジェクトとしてプレビュー表示され、立体化オブジェクト表示部１４によって立体化オブジェクトの詳細が表示され、立体化オブジェクトの高さ等の設定が行える状態となる。
【００４１】
次に、画像形成処理装置内のアプリケーションによって表示される、立体化オブジェクトを含む画像の印刷イメージを確認することができる印刷プレビュー画面について図２を参照して説明を行なう。
【００４２】
図２は、ユーザが立体化オブジェクトを含む画像の印刷イメージを確認することができる印刷プレビュー画面２００を示す構成図である。
【００４３】
図２に示した印刷プレビュー画面２００の構成は、画面右側に、画像中にオブジェクトがレイアウトされている様子を示すプレビューエリア３０１が配置され、画面左側には、画面右側のプレビューエリア３０１に表示されている立体化オブジェクトの詳細を示す立体化オブジェクト一覧３０２が配置されて、立体化オブジェクト一覧３０２の下に、立体化オブジェクトの断面形状を表示する断面形状表示欄３０３が配置される。
【００４４】
また、画面下側には、立体化ボタン２０８、プレビュー表示方法設定ボタン２０９、立体化オブジェクト詳細再表示ボタン２１０、高さの比率ボタン２１１、ハイライト表示ボタン２１２、印刷ボタン２１３が配置される。
【００４５】
まず、画面右側のプレビューエリア３０１について説明する。
【００４６】
プレビューエリア３０１においては、画像中にオブジェクトがレイアウトされている様子が表示される。
【００４７】
また、プレビューエリア３０１に表示されている立体化オブジェクトは、様々な表現方法で特徴づけられており、立体化の指定を受けていないオブジェクトと比較して、立体化オブジェクトであることを容易に認識することができる。
【００４８】
様々な表現方法とは、「陰影」、「斜めから３次元」、「浮き出し」、「浮き彫り」で立体化オブジェクトを特徴づける表現方法である（「陰影」、「斜めから３次元」、「浮き出し」、「浮き彫り」については後で説明する）。
【００４９】
また、プレビューエリア３０１に表示されている立体化オブジェクトによっては、立体化オブジェクトの周辺に立体化オブジェクト一覧３０２で割り振られたインデックス番号が配置されており、立体化オブジェクト一覧３０２に表示されている立体化オブジェクトをプレビューエリア３０１の中で探すときに、プレビューエリア３０１内の立体化オブジェクトの周辺に配置された数字を探すことで目的の立体化オブジェクトを見つけることができる。
【００５０】
プレビューエリア３０１内に表示されているオブジェクトを説明する。
【００５１】
立体化オブジェクト３５０は、ＡＢＣと表記されたゴシック書体のテキスト（文字データ）オブジェクトであり、左上に丸１とインデックス番号が配置され、色付きの四角で囲まれるハイライト表示がされており、「陰影」の表現方法で特徴づけられて表示される（ハイライト表示については後で説明する）。
【００５２】
ＡＢＣと表記された立体化オブジェクト３５０の右隣にＤＥＦと表記されたオブジェクト３５１が表示されているが、ＤＥＦと表記されたオブジェクト３５１は立体化オブジェクトではないので、立体化オブジェクト一覧３０２にはオブジェクト３５１の詳細は表示されておらずインデックス番号も配置されていない。
【００５３】
しかし、パーソナルコンピュータのキーボードを操作して、立体化の指定を受けていないオブジェクト３５１にフォーカスを合わせ、立体化ボタン２０８をマウスでクリックすることで、立体化の指定を受けていないオブジェクト３５１の立体化の指示を行なうことができる。
【００５４】
オブジェクト３５１に立体化の指示が行なわれると、立体化オブジェクト認識部１２がオブジェクト３５１を認識し、立体化オブジェクト一覧３０２にオブジェクト３５１の立体化オブジェクトの詳細を表示し、キーボードのテンキーを使用して、立体化が指定されたオブジェクト３５１の高さの設定をすることができる。
【００５５】
さらに、断面形状表示欄３０３の名前表示ボックス３７０に断面形状の名前を入力することで、断面形状の設定をすることができる。
【００５６】
また、プレビューエリア３０１内の、立体化オブジェクト３５３は、線状の図形オブジェクトであり、左上に丸２とインデックス番号が配置され、「浮き出し」の表現方法で特徴づけられて表示されており、立体プリントされるときの色で表示される（点線枠３５７内）。
【００５７】
なお、プレビューエリア３０１内の点線枠は指示する個所を分かりやすくする為に設けたのであって、実際の印刷プレビュー画面には表示されない。
【００５８】
また、プレビューエリア３０１において、立体化オブジェクト３５４は、矢印の図形オブジェクトであり、「浮き出し」の表現方法で特徴づけられて表示されており、立体プリントされる色で表示される（点線枠３５８内）。
【００５９】
立体化オブジェクト３５４については、インデックス番号を配置させないように設定されているので、インデックス番号は配置されていない。
【００６０】
このように、プレビューエリア３０１内に表示される立体化オブジェクトについて、インデックス番号の表示等の表示方法について個々の立体化オブジェクト毎に設定することが出来る。
【００６１】
プレビューエリア３０１において、立体化オブジェクト３５５は、星の形をした記号オブジェクトであり、左上に丸４とインデックス番号が配置され、「浮き彫り」の表現方法で特徴づけられて表示されており、立体プリントされる色で表示される（点線枠３５９内）。
【００６２】
プレビューエリア３０１において、立体化オブジェクト３５６は、ＸＹＺと表記されたゴシック書体のテキストオブジェクトであり、左上に丸５とインデックス番号が配置され、「陰影」の表現方法で特徴づけられて表示されており、立体プリントされる色で表示される（点線枠３６０内）。
【００６３】
次に、図２に示す印刷プレビュー画面２００の左上に配置されている立体化オブジェクト一覧３０２についての説明を行なう。
【００６４】
立体化オブジェクト一覧３０２には、プレビューエリア３０１内の立体化オブジェクトの詳細が表示されており、点線で囲まれている行３３０には立体化オブジェクト３５０の詳細が、行３３１には立体化オブジェクト３５３の詳細が、行３３２には立体化オブジェクト３５４の詳細が、行３３３には立体化オブジェクト３５５の詳細が、行３３４には立体化オブジェクト３５６の詳細がそれぞれ表示される。
【００６５】
なお、立体化オブジェクト一覧３０２における、行３３０、３３１、３３２、３３３、３３４を囲んでいる点線枠は、行を指示する為に設けたのであって、実際の立体化オブジェクト一覧３０２には、表示されない。
【００６６】
そして、立体化オブジェクト一覧３０２には、それぞれの行に、個々の立体化オブジェクトに割り振られたインデックス番号、個々のオブジェクトのオブジェクト名、個々のオブジェクトの属性、立体プリントされる際に形成されるオブジェクトの立体部分の高さが、それぞれ「ＩＤ」と表示されたボックス名３１１、「オブジェクト」と表示されたボックス名３１２、「属性」と表示されたボックス名３１３、「高さ」と表示されたボックス名３１４の下にそれぞれ表示される。
【００６７】
「ＩＤ」と表示されたボックス名３１１はインデックス番号が表示されるボックスを示すボックス名であり、「オブジェクト」と表示されたボックス名３１２はオブジェクト名が表示されるボックスを示すボックス名であり、「属性」と表示されたボックス名３１３は属性が表示されるボックスを示すボックス名であり、「高さ」と表示されたボックス名３１４は高さが表示されるボックスを示すボックス名である。
【００６８】
「ＩＤ」と表示されたボックス名３１１の下に表示されているインデックス番号は、立体化オブジェクト一覧３０２に表示されている立体化オブジェクトに割り振られる。
【００６９】
また、ボックス名３１１、３１２、３１３、３１４と並んで、「Ｈ」と表示されたハイライト表示を選択するチェックボックスを示す項目の名前である項目名３１０、「Ｐ」と表示された立体化オブジェクトの表示方法の設定を行なう立体化オブジェクトを選択するオプションボタンを示す項目の名前である項目名３１５が表示される。
【００７０】
項目名３１０、３１５の下には、チェックボックス、オプションボタンがそれぞれ配置される。
【００７１】
行３３０に表示されている内容から立体化オブジェクト３５０の詳細について説明すると、行３３０から分かるように、立体化オブジェクト３５０は、インデックス番号は１と割り振られて、ゴシック書体（属性）のテキストオブジェクト（オブジェクト名）であり、立体プリントされる立体化オブジェクトの高さは５０に設定されていることが分かる。
【００７２】
このように印刷プレビュー画面２００により、立体化オブジェクトの高さを数値で確認することができる。
【００７３】
また、行３３３に表示されている内容から立体化オブジェクト３５５の詳細について説明すると、行３３３から分かるように、インデックス番号は４と割り振られて、星の形（属性より）をした記号オブジェクト（オブジェクト名より）であり、立体プリントされる立体化オブジェクトの高さは１００に設定されていることが分かる。
【００７４】
次に、印刷プレビュー画面２００において、立体化オブジェクト一覧３０２の下に配置されている、立体化オブジェクトの断面形状を表示する断面形状表示欄３０３についての説明を行なう。
【００７５】
断面形状表示欄３０３には、断面形状を確認できる断面図を表示するボックス３７１、断面形状の名前を表示する名前表示ボックス３７０が配置される。
【００７６】
この断面形状表示欄３０３においては、立体化オブジェクト一覧３０２で選択された立体化オブジェクトの断面形状を確認できる情報が表示される。
【００７７】
断面形状表示欄３０３において断面形状を確認することで、選択された立体化オブジェクトが立体プリントされる際の、立体化オブジェクトのエッジ部分の形状のイメージを把握することができる。
【００７８】
断面形状表示欄３０３に表示される立体化オブジェクトを選択するには、立体化オブジェクト一覧３０２において、所望の立体化オブジェクトのチェックボックス（「Ｈ」と表示された項目名３１０の下に列をなして並んでいるチェックボックスのいずれか）にチェックが入れられることで行なわれる。
【００７９】
ただし、立体化オブジェクト一覧３０２において、複数のチェックボックスにチェックが入れられた場合には、チェックが入れられた複数のチェックボックスのうちインデックス番号が一番小さい立体化オブジェクトが選択されて、その選択された立体化オブジェクトの断面形状の情報が断面形状表示欄３０３に表示される。
【００８０】
チャックボックスへのチェックの入力は、キーボードを使用して行なわれる。
【００８１】
なお、ユーザは、立体化オブジェクト一覧３０２において、高さが表示されるボックスにフォーカスを合わせて、高さが表示されるボックスに任意の数字や記号を入力したり、「Ｐ」と表示された項目名３１５の下に列をなして並んでいるオプションボタンにマウスを使用してマークをすることが出来る。
【００８２】
立体化オブジェクト一覧３０２においてチェックボックスにチェックが入れられ、立体化オブジェクトが選択されると、
断面形状表示欄３０３に、選択された立体化オブジェクトの断面形状の名前が名前表示ボックス３７０に表示され、ボックス３７１に、選択された立体化オブジェクトの断面形状が確認できる断面図が表示される。
【００８３】
ボックス３７１に表示される断面図は、立体化オブジェクト一覧３０２で選択された立体化オブジェクトが立体プリントされた時のエッジ部分の形状が分かるように、選択された立体化オブジェクトを立体プリントする作成方法で一定の幅の有る線の立体化オブジェクトを作成して、作成した線の立体化オブジェクトを垂直に分断するように切った場合の断面図をボックス３７１に表示する。
【００８４】
ボックス３７１に表示される断面図を表示する色は、選択された立体化オブジェクトがプレビューエリア３０１で表示されている色である。
【００８５】
そして、ボックス３７１に表示される断面図の高さは、立体化オブジェクトが実際に立体プリントされて形成される立体部分の高さに比例して表示され、高さの違ういろいろな立体化オブジェクトの断面図を次々に表示すると、視覚的に立体化オブジェクト間の高さを比較することができる。
【００８６】
また、ボックス３７１に表示する断面図の高さと実際に立体プリントする時の立体化オブジェクトの高さの比率を設定することができ、ユーザは、印刷プレビュー画面２００の下部にある高さの比率ボタン２１１をクリックして、高さの比率設定画面を呼び出して比率の設定を行なう。
【００８７】
次に、ボックス３７１に表示する高さの比率の設定が可能な高さの比率設定画面について図３を参照して説明を行う。
【００８８】
図３は、印刷プレビュー画面２００の高さの比率ボタン２１１がクリックされて表示される高さの比率設定画面３００を示す構成図である。
【００８９】
高さの比率設定画面３００においては、比率を表示するボックス４０１と、設定した比率を適用して図２に示す印刷プレビュー画面２００に戻るＯＫボタン４０２とが配置される。
【００９０】
ユーザは、キーボードやマウスを使用してフォーカスをボックス４０１に合わせ、キーボードのテンキーよりボックス４０１に任意の数字を入力することで所望の数字を入力することができ、そしてＯＫボタン４０２をマウスでクリックすることによって、高さの比率設定画面３００が閉じられ、図２に示す印刷プレビュー画面２００に戻る。
【００９１】
印刷プレビュー画面２００が表示されると、ボックス３７１に表示される断面図の高さが、実際の立体化オブジェクトの高さに対して、高さの比率設定画面３００で設定した比率で表示される。
【００９２】
次に、図２に示す印刷プレビュー画面２００の画面下側に配置されているハイライト表示ボタン２１２、プレビュー表示方法設定ボタン２０９、立体化オブジェクト詳細再表示ボタン２１０、印刷ボタン２１３について順次説明を行う。
【００９３】
まず、ハイライト表示ボタン２１２についての説明を行う。
【００９４】
図２に示した印刷プレビュー画面２００が表示されているとき、立体化オブジェクト一覧３０２にあるハイライト表示を選択する「Ｈ」と書かれたチェックボックスの項目名３１０の列に並んでいるチェックボックスのいずれかのチェックボックスにチェックが入っている状態でハイライト表示ボタン２１２がクリックされると、チェックが入れられたチェックボックスに該当する立体化オブジェクトがプレビューエリア３０１内においてハイライト表示される。
【００９５】
図２に示すように、行３３０に示すインデックス番号が１の立体化オブジェクト３５０に該当するチェックボックス３１６にチェックが入れられているので、この状態でハイライト表示ボタン２１２がクリックされることによって、プレビューエリア３０１内の立体化オブジェクト３５０がハイライト表示される。
【００９６】
なお、立体化オブジェクト一覧３０２において複数のチェックボックスにチェックが入れられた状態でハイライト表示ボタン２１２がクリックされると、チェックが入れられた複数の立体化オブジェクトがプレビューエリア３０１内においてハイライト表示されることになる。
【００９７】
また、立体化オブジェクト一覧３０２において、立体化オブジェクトの高さが表示されるボックス等に任意の数字と記号を入力することで条件を指定して、ハイライト表示ボタン２１２がクリックされることにより、入力した条件の内容に従って様々な種類のオブジェクトをハイライト表示させることができる。
【００９８】
次に、条件を入力してオブジェクトをハイライト表示させる例について説明する。
【００９９】
例えば、ユーザが、立体化オブジェクト一覧３０２の行３３１のチェックボックス３２２にだけチェックを入れて、行３３１の高さが表示されるボックス３２０に、高さの範囲が５０以上かつ１５０以下であることを示す「５０〜１５０」または「＞＝５０，＜＝１５０」を入力して、ハイライト表示ボタン２１２をクリックすると、行３３１には、図２に示すように、オブジェクト名は図形で属性は線で高さは「５０〜１５０」と表示されているので、プレビューエリア３０１に表示されているオブジェクトの中でオブジェクト名が図形で属性が線で高さが５０以上かつ１５０以下であるオブジェクトがすべてハイライト表示される。
【０１００】
また、例えば、ユーザが、立体化オブジェクト一覧３０２の行３３２のチェックボックス３２３にだけチェックを入れて、行３３２の高さが表示されるボックス３２１に、高さの範囲が１５０以下であることを示す「〜１５０」または「＜＝１５０」を入力して、ハイライト表示ボタン２１２をクリックすると、行３３２には、図２に示すように、オブジェクト名は図形で属性は矢印で高さは「〜１５０」と表示されているので、プレビューエリア３０１に表示されているオブジェクトの中でオブジェクト名が図形で属性が矢印で高さが１５０以下であるオブジェクトがすべてハイライト表示される。
【０１０１】
高さの指定を１５０以下とした場合には、高さ０のオブジェクトも含まれるので、オブジェクト名が図形で属性が矢印で高さが１５０以下であるオブジェクトをハイライト表示した場合には、オブジェクト名が図形で属性が矢印であるオブジェクトであれば立体化オブジェクトでないオブジェクトもハイライト表示される。
【０１０２】
また、条件を入力する際に、立体化オブジェクト一覧３０２のオブジェクト名が表示されるボックスや属性が表示されるボックスに「ａｌｌ」と入力してハイライト表示ボタン２１２をクリックすることにより、「ａｌｌ」と入力されたボックスの内容に関しては、ハイライト表示する対象が限定されずにオブジェクトが検索されて、ハイライト表示が行なわれる。
【０１０３】
なお、高さが表示されるボックスにも「ａｌｌ」と入力することができ、その場合には、ハイライト表示する対象が高さに関して限定されない。
【０１０４】
例えば、ユーザが、立体化オブジェクト一覧３０２の行３３１のチェックボックス３２２にだけチェックを入れて、行３３１のオブジェクト名が表示されるボックス３１８に「図形」、属性が表示されるボックス３１９に「ａｌｌ」、高さが表示されるボックス３２０に「ａｌｌ」と入力して、ハイライト表示ボタン２１２をクリックすると、属性と高さに関しては「ａｌｌ」と入力されているのでハイライト表示するオブジェクトが限定されず、プレビューエリア３０１に表示されているオブジェクトの中でオブジェクト名が図形であるオブジェクトがすべてハイライト表示される。
【０１０５】
「ａｌｌ」と入力してハイライト表示する例としては、ユーザが、立体化オブジェクト一覧３０２の行３３１のチェックボックス３２２にだけチェックを入れて、行３３１のオブジェクト名が表示されるボックス３１８に「ａｌｌ」、属性が表示されるボックス３１９に「ａｌｌ」、高さが表示されるボックス３２０に１００以上を示す「１００〜」または「＞＝１００」と入力して、ハイライト表示ボタン２１２をクリックすると、オブジェクト名と属性に関してはハイライト表示するオブジェクトが限定されずに、プレビューエリア３０１に表示されているオブジェクトの中で高さが１００以上の立体化オブジェクトをすべてハイライト表示することも出来る。
【０１０６】
このように、プレビューエリア３０１内の一定以上の高さを有する立体化オブジェクトをハイライト表示させることが出来る。
【０１０７】
また、例えば、ユーザが、立体化オブジェクト一覧３０２の行３３１のチェックボックス３２２にだけチェックを入れて、行３３１のオブジェクト名が表示されるボックス３１８に「ａｌｌ」、属性が表示されるボックス３１９に「ａｌｌ」、高さが表示されるボックス３２０に０より大きいを示す「＞０」を入力して、ハイライト表示ボタン２１２をクリックすると、オブジェクト名と属性に関してはハイライト表示するオブジェクトが限定されずに、プレビューエリア３０１に表示されているオブジェクトの中で高さが０より大きいオブジェクト、つまり立体化オブジェクトをすべてハイライト表示させることができる。
【０１０８】
このように、プレビューエリア３０１内の立体化オブジェクトをすべてハイライト表示させる機能を使って、ユーザが、プレビューエリア３０１に表示している立体化オブジェクトを探すことが出来る。
【０１０９】
また、例えば、ユーザが、立体化オブジェクト一覧３０２の行３３１のチェックボックス３２２にだけチェックを入れて、行３３１のオブジェクト名が表示されるボックス３１８に「ａｌｌ」、属性が表示されるボックス３１９に「ａｌｌ」、高さが表示されるボックス３２０に「０」を入力して、ハイライト表示ボタン３４０をクリックすると、オブジェクト名と属性に関してはハイライト表示するオブジェクトが限定されずに、プレビューエリア３０１に表示されているオブジェクトの中で高さが０であるオブジェクト、つまりプレビューエリア３０１に表示されている立体化の指定を受けていないオブジェクトがすべてハイライト表示される。
【０１１０】
このように、プレビューエリア３０１内の立体化の指定を受けていないオブジェクトをすべてハイライト表示させる機能を使って、ユーザが、プレユーエリア３０１に表示されている立体化の指定を忘れたオブジェクトを探すことが出来る。
【０１１１】
なお、任意の数字と記号や「ａｌｌ」という文字を入力することで条件を指定してハイライト表示する際においても、複数のチェックボックスにチェックが入れられた場合には、チェックが入れられた複数の行に入力された条件がすべて適合するオブジェクトがハイライト表示される。
【０１１２】
次に、印刷プレビュー画面２００の下側に配置されているプレビュー表示方法設定ボタン２０９について説明を行う。
【０１１３】
プレビュー表示方法設定ボタン２０９は、プレビューエリア３０１に表示されている立体化オブジェクトの表示方法の設定を行なうときに使用されるボタンである。
【０１１４】
プレビューエリア３０１で表示されている立体化オブジェクトは個々の立体化オブジェクト毎に表示方法の設定が可能である。
【０１１５】
例えば、立体化オブジェクト３５０のプレビューエリア３０１での表示方法を設定するには、ユーザは、立体化オブジェクト一覧３０２において、立体化オブジェクト３５０の詳細を表示している行３３０のオプションボタン３１７をマーキングされた状態にし、プレビュー表示方法設定ボタン２０９をクリックする。
【０１１６】
行３３０のオプションボタン３１７がマーキングされた状態でプレビュー表示方法設定ボタン２０９がクリックされると、ディスプレイ画面上に図４に示すプレビュー表示方法設定画面４００が表示される。
【０１１７】
図４は、プレビュー表示方法設定画面４００を示す構成図である。
【０１１８】
図４に示すプレビュー表示方法設定画面４００の構成は、画面上部に、表示方法を設定する立体化オブジェクトの詳細を表示する詳細表示欄５０１が配置され、その下に表示方法を設定する表示方法設定欄が配置され、画面左下にＯＫボタン５１１が配置される。
【０１１９】
まず、詳細表示欄５０１には、表示方法の設定が行われる立体化オブジェクトの詳細が表示されており、立体化オブジェクトのハイライト表示の選択の有無、インデックス番号、オブジェクト名、属性名、高さが表示される。
【０１２０】
詳細表示欄５０１により、ユーザは、表示方法の設定を行なう立体化オブジェクトの内容を確認する。
【０１２１】
図４に示すプレビュー表示方法設定画面４００には、プレビュー表示方法設定画面４００を呼び出す際に、印刷プレビュー画面２００で図２に示すように立体化オブジェクト３５０に該当するオプションボタン３１７がマークされていたので、プレビュー表示方法設定画面４００の詳細表示欄５０１に立体化オブジェクト３５０の詳細が表示される。
【０１２２】
そして、プレビュー表示方法設定画面４００の表示方法設定欄で設定できる表示方法については次の項目がある。
【０１２３】
すなわち、立体化オブジェクトの点滅表示の項目（チェックボックス５０２）、インデックス番号の配置の項目（チェックボックス５０３、コンボボックス５０４）、立体化オブジェクトの表示色を設定する項目（オプションボタン５０５、５０６等）、立体化オブジェクトの表現方法として「陰影」、「斜めから３次元」、「浮き出し」、「浮き彫り」、「なし」、のいずれかを選択する項目（オプションボタン５１０）について設定することが出来る。
【０１２４】
立体化オブジェクトの点滅表示とは、図２を参照して説明した印刷プレビュー画面２００のプレビューエリア３０１において、立体化オブジェクトを点滅させて表示する表示方法である。
【０１２５】
インデックス番号の配置とは、立体化オブジェクト一覧３０２で立体化オブジェクト毎に割り振られたインデックス番号を、プレビューエリア３０１の立体化オブジェクトの周辺に配置させる表示方法であり、インデックス番号の配置を選択するチェックボックス５０３の下に配置されているコンボボックス５０４によって立体化オブジェクトの周辺のどの位置にインデックス番号を配置させるかを選択することが可能である。
【０１２６】
例えば、図２に示すプレビューエリア３０１においては、オブジェクト３５０の左上にインデックス番号が丸１（符号３５２）と配置される。
【０１２７】
立体化オブジェクトの表示色を設定する項目（オプションボタン５０５、５０６等）では、図２に示すプレビューエリア３０１でオブジェクトを表示する際に使用される色の設定を行なうことが出来る。
【０１２８】
オブジェクトをプレビューエリア３０１で表示する際に使われる色は、デフォルトでは、オブジェクトが立体プリントされる色が使用されるが、オブジェクトの表示色を設定する項目で特定の色を設定して、該設定した色でオブジェクトを表示することも可能である。
【０１２９】
デフォルトでは、プレビューエリア３０１の立体化オブジェクトは、立体プリントされる色で表示されるので、プレビュー表示方法設定画面４００では、デフォルトで、元の色を選択するオプションボタン５０５がマーキングされていて、ボックス５０７に立体プリントされる色が表示される。
【０１３０】
ユーザが、デフォルト以外の色で、プレビューエリア３０１内に立体化オブジェクトを表示させようとするには、違う色を選択するオプションボタン５０６をクリックすることでオプションボタン５０６をマーキングし、色の選択ボタン５０９をクリックして、ディスプレイ画面上に色の選択画面を表示して、表示された色の選択画面において任意の色を選択する。
【０１３１】
そして、選択された色がボックス５０８に表示され、プレビューエリア３０１でオブジェクトを表示する色としてボックス５０８に表示された色が使用される。
【０１３２】
ここで、色の選択ボタン５０９をクリックして表示される色の選択画面について図５を参照して説明する。
【０１３３】
図５は、色の選択ボタン５０９をクリックして表示される色の選択画面５００を示す構成図である。
【０１３４】
色の選択画面５００の画面構成は、選択できる色を表示するパレット５１２、パレット５１２で選択された色が表示されるボックス５１３、選択された色を適用して図４に示すプレビュー表示方法設定画面４００に戻るＯＫボタン５１４、選択された色を適用しないで図４に示すプレビュー表示方法設定画面４００に戻るキャンセルボタン５１５とが配置される。
【０１３５】
ユーザが、マウスを使用して、パレット５１２より所望の色を選択すると、ボックス５１３にユーザが選択した色が表示され、ボックス５１３に表示された色を立体化オブジェクトを表示するために使用する色として適用する場合には、ＯＫボタン５１４をクリックすることにより、色の選択画面５００が閉じられ、図４に示すプレビュー表示方法設定画面４００に戻り、色の選択画面５００で選択した色がボックス５０８に表示される。
【０１３６】
また、図５に示す色の選択画面５００において、パレット５１２で選択した色を適用しない場合には、ユーザは、キャンセルボタン５１５をクリックすることにより、色の選択画面５００が閉じられ、図４に示すプレビュー表示方法設定画面４００に戻り、ボックス５０８には色の選択画面５００で選択された色は表示されず、元の色を選択するオプションボタン５０５がマーキングされる。
【０１３７】
なお、図５に示す色の選択画面５００で色を選択する際には、パレット５１２のような予め設定されている色だけではなく、ＲＧＢ（Red Green Blue）、ＣＭＹＫ（Cyan Magenta Yellow Black）等による色空間を使用して特定の色を作成して選択できるようにしてもよい。
【０１３８】
そして、図４に示すプレビュー表示方法設定画面４００のオプションボタン５１０では、立体化オブジェクトの表現方法として、「陰影」、「斜めから３次元」、「浮き出し」、「浮き彫り」、または、これらの表現方法を選択しない「なし」を選択することができる。
【０１３９】
「陰影」とは、オブジェクトに影をつけてオブジェクトを強調表示する表現方法であり、「斜めから３次元」とは、立体化オブジェクトを斜めから見た様子を斜視図のように３次元的に表現して強調表示する表現方法であり、「浮き出し」とは、オブジェクトを浮き上がらせて強調表示する表現方法であり、「浮き彫り」とは、平らな面をオブジェクトの形に彫ることによりオブジェクトを強調表示する表現方法である。
【０１４０】
オブションボタン５１０において「なし」を選択すると、「陰影」、「斜めから３次元」、「浮き出し」、「浮き彫り」の表現方法は適用されない。
【０１４１】
立体化オブジェクトの表示方法に関しては、例えば、図４に示したプレビュー表示方法設定画面４００に表示されているように、チェックボックス５０３とコンボボックス５０４においてインデックス番号を左上に配置するように選択され、オプションボタン５１０において「陰影」の表現方法が選択され、オプションボタン５０５において立体プリントされる元の色で表示するように選択された状態から、ＯＫボタン５１１がクリックされると、ディスプレイ画面上には、図２に示す印刷プレビュー画面２００が表示され、図２のプレビューエリア３０１に示すように、立体化オブジェクト３５０が、インデックス番号「１」が左上に配置され、「陰影」の表現方法で表示され、立体プリントされる色で表示される。
【０１４２】
次に、図２に示す印刷プレビュー画面２００の下側に配置されている立体化オブジェクト詳細再表示ボタン２１０について説明を行う。
【０１４３】
立体化オブジェクト詳細再表示ボタン２１０は、ハイライト表示ボタン２１２を使用するときに、立体化オブジェクト一覧３０２内のオブジェクト名、属性、高さが表示されるボックスに数字や記号等が入力されることがあるので、数字や記号等を入力した後、立体化オブジェクト詳細再表示ボタン２１０をクリックすることによって、数字や記号等を入力する前に立体化オブジェクト一覧３０２に表示されていた立体化オブジェクトの詳細を再表示させることが出来る。
【０１４４】
なお、立体化オブジェクト詳細再表示ボタン２１０がクリックされることにより、プレビューエリア３０１でハイライト表示されていたオブジェクトのハイライト表示は消去される。
【０１４５】
次に、図２に示す印刷プレビュー画面２００の下側に配置されている印刷ボタン２１３について説明を行なう。
【０１４６】
印刷ボタン２１３は、ユーザが、図２に示す印刷プレビュー画面２００で画像のプレビュー表示を行った後、印刷を実行させたい時に、印刷ボタン２１３をクリックすることによって、印刷プレビュー画面２００で確認した画像の印刷を画像形成処理装置が指定した画像形成装置に実行させることが出来る。
【実施例２】
【０１４７】
次に、本実施例においては、鳥瞰図を用いて立体印刷される画像の印刷結果を容易に確認することができるプレビュー表示方法の実施例について添付図面を参照して詳細に説明する。
【０１４８】
まず、本発明に係る印刷プレビュー表示方法を適用した印刷プレビュー画面について、図６を参照して説明する。
【０１４９】
図６は、本発明の印刷プレビュー表示方法を適用した印刷プレビュー画面Ａ−６００を示す画面構成図である。
【０１５０】
印刷プレビュー画面Ａ−６００には、画面上部のツールバーの部分に、虫眼鏡アイコン６０４と、断面虫眼鏡アイコン６０５が配置されており、さらに、印刷するドキュメントのオブジェクトの配置を表示するプレビューエリア６０１と、オブジェクトの鳥瞰図を拡大表示する拡大プレビューエリア６０２と、オブジェクトの断面形状図を表示する断面形状プレビューエリア６０８が存在する。
【０１５１】
画面上部のツールバーに配置されている虫眼鏡アイコン６０４と断面虫眼鏡アイコン６０５は、共に、ユーザによってツールバーからそれぞれのアイコンをクリックしてプレビューエリア６０１に表示されているオブジェクトの上にドラッグされ、虫眼鏡アイコン６０４は、アイコンの円で囲まれた部分のオブジェクトを選択して拡大表示する機能を持ち、そして、断面虫眼鏡アイコン６０５は、アイコンの円を２等分する直線である、断面形状を選択する直線６１０上にあるオブジェクトの断面形状を表示する機能を持つ。
【０１５２】
オブジェクトの鳥瞰図を拡大表示する拡大プレビューエリア６０２には、拡大表示の拡大率を入力する欄６０６と、高さ方向の拡大率を入力する欄６０７がある。
【０１５３】
断面形状プレビューエリア６０８にも同様に、断面形状図を表示する拡大率を入力する欄６０８と、断面形状プレビューエリア６０８で表示されている断面形状図の高さ方向の拡大率を入力する欄６０９がある。
【０１５４】
プレビューエリア６０１、拡大プレビューエリア６０２、断面形状プレビューエリア６０３には、ドキュメント中に含まれる立体化オブジェクトだけでなく、該ドキュメントに含まれる立体指定されていないオブジェクトについて表示して良い。
【０１５５】
次に、立体化オブジェクトを含んだドキュメントを印刷プレビューする様子を図７を参照して説明する。
【０１５６】
図７は、立体化オブジェクトを含むドキュメントが印刷プレビュー表示された様子を示した印刷プレビュー画面Ｂ−７００を示す画面構成図である。
【０１５７】
なお、図６で説明した印刷プレビュー画面Ａ−６００と同一の個所には同一の符号を付して説明する。
【０１５８】
立体化オブジェクトを含むドキュメントが印刷プレビュー表示されると、プレビューエリア６０１に該ドキュメントのオブジェクトが配置されている様子が表示される。
【０１５９】
図７に示す印刷プレビュー画面Ｂ−７００においては、プレビューエリア６０１内に白色の長方形の形をした立体化オブジェクト７０１と黒色の長方形の形をした立体化オブジェクト７０２とが一部分重なるように配置されて表示される。
【０１６０】
そして、虫眼鏡アイコン６０４がそれぞれの立体化オブジェクトが重なった場所にドラッグされる。
【０１６１】
虫眼鏡アイコン６０４がそれぞれの立体化オブジェクトが重なった場所にドラッグされるので、拡大プレビューエリア６０２には、当該重なった場所の鳥瞰図が５００％の拡大率で拡大されて表示される。
【０１６２】
この拡大プレビューエリア６０２に表示された、拡大された鳥瞰図により、白いオブジェクトの断面形状が台形らしく、その上に断面形状が三角らしい黒い立体化オブジェクトが重なっているのが判明される。
【０１６３】
詳しくは、後述の断面形状プレビューエリアの機能を使えば、より詳しく判明される。
【０１６４】
このように、ドキュメント中のオブジェクトの一部分を、拡大プレビューエリア６０２に拡大表示することによって、立体化オブジェクトの重なり部分の処理を明確することができ、オブジェクトが着色されてない場合でも、重なっているオブジェクトの上下関係を明確にすることができる。
【０１６５】
立体化オブジェクトの重なり部分の処理の種類は、重なり合う部分の高さを重なったオブジェクトの高さの和とする処理や、重なり合う部分の高さを重なっているいずれかのオブジェクトの高さに一致させる処理等があり、それらの処理の判別を、上記のように虫眼鏡アイコン６０４で重なり合う部分の鳥瞰図を拡大プレビューエリア６０２に拡大表示することで確認することが可能である。
【０１６６】
また、後述の、高さ方向拡大率の機能を使用する、もしくは断面形状を断面虫眼鏡アイコン６０４で確認することでも重なり合う部分の関係を確認できる。
【０１６７】
次に、図７の状態からプレビュー拡大率を上げて拡大プレビューエリア６０２に鳥瞰図をさらに拡大させて表示した状態の印刷プレビュー画面を図８を参照して説明する。
【０１６８】
図８は、図７に示した印刷プレビュー画面Ｂ−７００よりプレビュー拡大率を５００％から９００％に上げた状態である印刷プレビュー画面Ｃ−８００を示す画面構成図である。
【０１６９】
なお、図６で説明した印刷プレビュー画面Ａ−６００と同一の個所には同一の符号を付して説明する。
【０１７０】
印刷プレビュー画面Ｃ−８００においては、拡大プレビュー画面６０２上に、印刷プレビュー画面Ｂ−７００において表示された鳥瞰図が表記されたプレビュー拡大率である９００％で拡大表示される。
【０１７１】
これにより、虫眼鏡アイコン６０４で選択されたオブジェクトの重なり具合が印刷プレビュー画面Ｂ−７００より明確である。
【０１７２】
次に、図７に示された印刷プレビュー画面Ｂ−７００より、拡大プレビューエリアの高さ方向拡大率を上げて立体化オブジェクトの鳥瞰図を表示させた印刷プレビュー画面Ｄ−９００について、図９を参照して説明する。
【０１７３】
図９は、図７に示した印刷プレビュー画面Ｂ−７００より高さ方向拡大率を１００％から２００％に上げた状態である印刷プレビュー画面Ｄ−９００を示す画面構成図である。
【０１７４】
なお、図６で説明した印刷プレビュー画面Ａ−６００と同一の個所には同一の符号を付して説明する。
【０１７５】
印刷プレビュー画面Ｄ−９００には、拡大プレビューエリア６０２の高さ方向拡大率１０７が印刷プレビュー画面Ｂ−７００の１００％から２００％と設定されており、このように設定されることで、高さ方向だけ設定された高さ方向拡大率の数値で拡大されたオブジェクトの鳥瞰図が作成され、該鳥瞰図が拡大プレビューエリア６０２に表示される。
【０１７６】
高さ方向拡大率の設定では、高さ方向に限っての拡大率を設定しているので、平面的な方向である、縦・横方向にはオブジェクトは拡大されない設定である。
【０１７７】
このように、高さ方向拡大率を設定することで、選択されたオブジェクトの高さ方向の形状の特性を際立たせて表示させることができ、形状の把握が容易である。
【０１７８】
また、高さの低い立体化オブジェクトで高さ方向の形状が容易に判別つかないオブジェクトだと、特にこの機能を利用して、高さ方向の形状が容易に判明される。
【０１７９】
また、色が同じで高さの低い立体化オブジェクトが重なり合っている場合に、それぞれの立体化オブジェクトの上下関係について、それぞれの立体化オブジェクトの高さが低くてどちらが上になっているか判別がつかないときには、この機能を利用して、高さ方向だけに拡大したオブジェクトの鳥瞰図を表示させることで、上下関係を判別することが可能である。
【０１８０】
次に、新たに、「ＡＢＣ」と書かれた立体化オブジェクトを含むドキュメントが印刷プレビューされ、断面形状が表示されている印刷プレビュー画面Ｅ−１０００について、図１０を参照して説明する。
【０１８１】
図１０は、「ＡＢＣ」と書かれた立体化オブジェクトを含むドキュメントが印刷プレビューされて、断面形状が表示された印刷プレビュー画面Ｅ−１０００を示す画面構成図である。
【０１８２】
なお、図６で説明した印刷プレビュー画面Ａ−６００と同一の個所には同一の符号を付して説明する。
【０１８３】
プレビューエリア６０１において、立体化オブジェクトである「ＡＢＣ」の文字が表示されており、「Ａ」のオブジェクトの一部分に、断面虫眼鏡アイコン６０５がクリックアンドドラッグされる。
【０１８４】
断面虫眼鏡アイコン６０５は画面上部のツールバーに配置されるが、虫眼鏡アイコン６０４と同様の使用法で、ユーザにより、配置されている断面虫眼鏡アイコン６０５がクリックされて、プレビューエリア６０１内に表示されているオブジェクトにドラッグされることにより、断面虫眼鏡アイコン６０５上の断面形状を選択する直線６１０上に存在するオブジェクトの断面形状が断面形状プレビューエリア６０３に示される。
【０１８５】
印刷プレビュー画面Ｅ−１０００において、「Ａ」のオブジェクトの一部分に、断面虫眼鏡アイコン６０５が持って行かれて、断面形状表示を選択する直線６１０上に「Ａ」のオブジェクトの一部分がある。
【０１８６】
これにより、断面形状表示を選択する直線６１０上にある「Ａ」のオブジェクトの断面形状が、断面形状プレビューエリア６０３に表示される。
【０１８７】
断面形状プレビューエリア６０３においては、このように、断面虫眼鏡アイコン６０５の断面形状を選択する直線６１０上に存在する立体化オブジェクトの断面形状が表示される。
【０１８８】
このように、断面虫眼鏡アイコン６０５を使用して、立体化オブジェクトの任意の場所の断面形状を容易に視認することができ、立体化オブジェクトを含んだドキュメントを作成するときに断面形状の確認に利用できる。
【０１８９】
次に、印刷プレビュー画面Ｅ−１０００の断面形状プレビューエリア６０３の断面形状拡大率を変化させた状態の印刷プレビュー画面Ｆ−１１００について図１１を用いて説明する。
【０１９０】
図１１は、印刷プレビュー画面Ｅ−１０００より断面形状拡大率を１００％から２００％に上げた状態である印刷プレビュー画面Ｆ−１１００を示す画面構成図である。
【０１９１】
なお、図６で説明した印刷プレビュー画面Ａ−６００と同一の個所には同一の符号を付して説明する。
【０１９２】
印刷プレビュー画面Ｆ−１１００においては、断面形状拡大率を設定する欄６０８において、２００％と設定したので、図１０で示した印刷プレビュー画面Ｅ−１０００の断面形状プレビューエリア６０３に表示されていた立体化オブジェクトの断面形状図１００１が１００％から２００％に拡大された断面形状図１１０１が断面形状プレビューエリア６０３に表示される。
【０１９３】
このように、断面形状拡大率を設定することにより、断面形状プレビューエリア６０３で表示されるオブジェクトの断面形状が設定された拡大率で拡大されて表示される。
【０１９４】
次に、印刷プレビュー画面Ｅ−１０００の断面形状プレビューエリア６０３でオブジェクトの断面形状が表示された状態から、断面形状の高さ方向拡大率を変化させた印刷プレビュー画面Ｇ−１２００について図１２を用いて説明する。
【０１９５】
図１２は、印刷プレビュー画面Ｅ−１０００より断面形状の高さ方向拡大率を１００％から４００％に上げた状態である印刷プレビュー画面Ｇ−１２００を示す画面構成図である。
【０１９６】
なお、図６で説明した印刷プレビュー画面Ａ−６００と同一の個所には同一の符号を付して説明する。
【０１９７】
印刷プレビュー画面Ｇ−１２００においては、断面形状の高さ方向拡大率を設定する欄６０９において、４００％と設定したので、図１０で示した印刷プレビュー画面Ｅ−１０００の断面形状プレビューエリア６０３に表示されていた立体化オブジェクトの断面形状が、高さ方向に限って１００％から４００％に拡大されて表示される。
【０１９８】
この機能により、高さの低い立体化オブジェクトの断面形状が明確に判断できない場合には、断面形状プレビューエリア６０３の高さ方向を拡大して表示することにより、断面形状を明確に識別することができる。
【０１９９】
次に、図７に示された印刷プレビュー画面Ｂ−７００に示されたオブジェクトに、断面虫眼鏡アイコン６０５が使用された状態である印刷プレビュー画面Ｈ−１３００を図１３を参照して説明する。
【０２００】
図１３は、立体指定されたオブジェクトを含むドキュメントが、虫眼鏡アイコン６０４と断面虫眼鏡アイコン６０５が両方同時に使用されて、印刷プレビュー表示された様子を示す印刷プレビュー画面Ｈ−１３００を示す画面構成図である。
【０２０１】
なお、図６で説明した印刷プレビュー画面Ａ−６００と同一の個所には同一の符号を付して説明する。
【０２０２】
印刷プレビュー画面Ｈ−１３００においては、印刷プレビュー画面Ｂ−７００と同様の白い四角の立体化オブジェクト７０１と黒い四角の立体化オブジェクト７０２が表示されており、オブジェクトが重なった２つの部分の片方に虫眼鏡アイコン６０４がドラッグされ、片方に断面虫眼鏡アイコン６０５がドラッグされる。
【０２０３】
このように、虫眼鏡アイコン６０４と断面虫眼鏡アイコン６０５との両方のアイコンを印刷プレビュー画面において、同時に使用することが可能である。
【０２０４】
拡大プレビューエリア６０２には、印刷プレビュー画面Ｂ−７００で拡大表示された部分が、高さ方向拡大率を１２０％に拡大された状態で表示される。
【０２０５】
そして、断面形状プレビューエリア６０３には、断面虫眼鏡アイコン６０５の断面形状を選択する直線６１０上に存在しているオブジェクトの断面形状が表示される。
【０２０６】
断面形状プレビューエリア６０３より、断面虫眼鏡アイコン６０５で選択されている部分に付いては、白い四角の立体化オブジェクト７０１の高さは一様で、黒い四角の立体化オブジェクト７０２は、断面形状が三角形の立体化オブジェクトであることが判明される。
【０２０７】
次に、図１３に示された印刷プレビュー画面Ｈ−１３００より、断面虫眼鏡アイコン６０５を虫眼鏡アイコン６０４に重ねるようにして同じ場所にドラッグされた状態である、印刷プレビュー画面Ｉ−１４００を図１４を参照して説明する。
【０２０８】
図１４は、虫眼鏡アイコン６０４と断面虫眼鏡アイコン６０５が立体化オブジェクトの同じ場所を選択して、印刷プレビュー表示した印刷プレビュー画面Ｉ−１４００を示す画面構成図である。
【０２０９】
なお、図６で説明した印刷プレビュー画面Ａ−６００と同一の個所には同一の符号を付して説明する。
【０２１０】
印刷プレビュー画面Ｉ−１４００においては、印刷プレビュー画面Ｈ−１３００の虫眼鏡アイコン６０４に重ねるようにして同じ場所に、断面虫眼鏡アイコン６０５がドラッグされる。
【０２１１】
拡大プレビューエリア６０２には、印刷プレビュー画面Ｈ−１３００と同様に、虫眼鏡アイコン６０４で選択された場所の形状がプレビュー拡大率５００％、高さ方向拡大率１２０％で表示されていて、拡大プレビューエリア内において、断面虫眼鏡アイコン６０５の断面形状を選択する直線６１０が点線で表示される。
【０２１２】
断面形状プレビューエリア６０３には、断面虫眼鏡アイコン６０５の断面形状を選択する直線６１０上に存在するオブジェクトの断面形状が、断面形状拡大率１００％で高さ方向拡大率が２００％で表示される。
【０２１３】
このように、虫眼鏡アイコン６０５で拡大表示された立体化オブジェクトの任意の部分の断面形状を断面虫眼鏡アイコン６０４で表示して容易に確認することができる。
【実施例３】
【０２１４】
本実施例は、立体印刷を行う前に、立体印刷の印字機能の効果を予め確認する為に、様々な立体印刷の印字機能をユーザが設定して、その印字機能の効果を確認することができるサンプルプリントを立体印刷する印刷処理方法に関し、以下、添付図面を参照して詳細に説明する。
【０２１５】
まず、本発明を適用した印刷処理方法を実施する図示しないパーソナルコンピュータと図示しない画像形成装置からなるシステムにおける処理フローについて図１５を参照して説明を行う。
【０２１６】
図１５は、本発明を適用した印刷処理方法を実施する図示しないパーソナルコンピュータと図示しない画像形成装置からなるシステムにおける処理フローを示すフローチャートである。
【０２１７】
まず、印刷前に、図示しない印刷設定が行われる画面から、立体印刷の印字機能の効果を予め確認することができるサンプルプリントを印刷するために、立体印刷の印字機能の設定がユーザによって行われるユーザ・インタフェース画面が、立体印刷が可能な図示しない画像形成装置に印刷指示を行うことができる図示しないパーソナルコンピュータの画面に表示される（ステップ１５０１）。
【０２１８】
ユーザ・インタフェース画面が表示されると、ユーザによって、立体印刷の高さ、立体印刷の盛り上がり形状等の、予め効果を確認したい印字機能の設定が行われ（ステップ１５０２）、選択された印字機能でサンプルプリント内の立体オブジェクトが立体印刷され、選択された印字機能の内容がサンプルプリント内に印刷されるように、図示しないパーソナルコンピュータから図示しない画像形成装置に印刷指示が送られる（ステップ１５０３）。
【０２１９】
立体印刷の指示を受け付けた図示しない画像形成装置は、ユーザ・インタフェース画面で設定された印字機能に従ってサンプルプリントの印刷が行われる（ステップ１５０４）。
【０２２０】
次に、立体印刷の印字機能を予め確認するサンプルプリントを印刷するために、立体印刷の印字機能の設定がユーザによって行われるユーザ・インタフェース画面について図１６を参照して説明する。
【０２２１】
図１６は、立体印刷の印字機能を予め確認するサンプルプリントを印刷するために、立体印刷の印字機能の設定がユーザによって行われるユーザ・インタフェース画面１６００の一例を示す図である。
【０２２２】
図１６に示したユーザ・インタフェース画面１６００の画面構成は、上部に立体印刷の印字機能を指示できる立体パターン確認欄１６０１を配置し、その下に、立体印刷による色の着色具合を確認できる色味確認欄１６７０を配置し、その下に、各種文字の立体印刷具合を確認するためのフォント確認欄１６０３と、罫線の立体印刷具合を確認するための罫線確認欄１６０４と、各種イメージの立体印刷具合を確認するためのイメージ確認欄１６０５とが配置される。
【０２２３】
立体パターン確認欄１６０１においては、立体の高さ、盛り上がり形状、立体の強調方法の印字機能を選択してサンプルプリント１７００に選択した印字機能が使用されて印刷が行われる。
【０２２４】
各種印字機能の組み合わせは６種類制作することが出来、指定範囲Ａ−１６１０から指定範囲Ｆ−１６６０まで６種類制作される。
【０２２５】
次に、指定範囲Ａ−１６１０の欄において、印字機能の選択方法について説明する。
【０２２６】
指定範囲Ａ−１６１０内には、立体印刷する立体化オブジェクトの高さを指定できる項目１６１１と、立体印刷の盛り上がり形状の種類を選択できる項目１６１２と、立体化オブジェクトを強調する立体強調手段の種類を選択できる項目１６１３が配置される。
【０２２７】
立体化オブジェクトの高さを指定するには、高さを指定する項目１６１１において、ＣＢ（チェックボックス）にチェックを入れて、高さを指定する項目のＣＭＢ（コンボボックス）から任意の値が選択されることにより行われる。
【０２２８】
また、立体化オブジェクトの盛り上がり形状を指定するには、立体化オブジェクトの盛り上がり形状を選択する項目１６１２において、ＣＢにチェックを入れ、ＣＭＢにおいて任意の盛り上がり形状が選択されることで行われる。
【０２２９】
選択される盛り上がり形状の種類は、角型、丸型、とんがり（三角）型、かまぼこ型、波型等がある。
【０２３０】
また、立体化オブジェクトの立体強調方法の選択については、立体強調を選択する項目１６１３のＣＢにチェックが入れられ、ＣＭＢより任意の方法が選択されることにより行われる。
【０２３１】
立体強調方法については、影を付ける、縁取りから選択される。
【０２３２】
指定範囲Ｂ−１６２０から指定範囲Ｆ−１６６０においても、指定範囲Ａ−１６１０と同様に印字機能が選択される。
【０２３３】
このように、指定範囲Ａ−１６１０から指定範囲Ｆ−１６６０においてサンプルとして印刷される立体化オブジェクトの印字機能が選択されることで、指定範囲Ａ−１６１０から指定範囲Ｆ−１６６０において選択された印字機能でそれぞれサンプルが立体印刷される。
【０２３４】
次に、色味確認欄１６７０について説明する。
【０２３５】
色味確認欄１６７０においては、立体プリントで印刷した場合と立体プリントでない印刷をした場合とで、着色の様子が色の種類によってどのように変わるかを確認するために、色の種類と立体印刷の印字機能の選択が行われる。
【０２３６】
色味確認欄１６７０の左半分には、立体印刷の印字機能を選択するために、立体パターン確認欄１６０１と同じように、高さと、盛り上がり形状と、立体強調について選択することができるＣＢとＣＭＢとが配置される。
【０２３７】
そして、色味確認欄１６７０の右半分には、色を選択する為のボタン等と選択した色を表示する欄１６７１が配置される。
【０２３８】
色味確認欄１６７０において、色味確認のために立体印刷される立体化オブジェクトの印字機能について高さ、盛り上がり形状、立体強調について選択が行われたら、色の選択が右半分に配置されているボタン等により行われる。
【０２３９】
色表示ボックス１６７１には、左ボタン１６７６、右ボタン１６７５で左右に動かすことが出来るボックス１６７７が配置され、決定ボタンが押されると、選択色表示ボックス１６７３で表示されている色が色表示ボックス１６７１のボックスがある位置に配置される。
【０２４０】
選択色表示ボックス１６７３に色を選択する方法は、色の選択ボタン１６７２が押されて、色が表示されているパレットのような画面を呼び出し、その画面より任意の色を選択することにより、選択色表示ボックス１６７３に選択した色が表示され、そして、決定ボタン１６７４が押されることによって、選択された色が色表示ボックス１６７１内のボックス１６７７がある位置に配置される。
【０２４１】
このようにして、色表示ボックス１６７１に、立体プリントでの着色具合を確認したい色を配置する。
【０２４２】
なお、色を選択する方法に関しては、上記のような方法でなくてもよく、色の３原色である、赤、緑、青の各色の配分を調節して任意の色を表示して選択する方法でもよい。
【０２４３】
例えば、マゼンダならば（Ｒ＝２５５、Ｇ＝０、Ｂ＝２５５）等のように選択色表示ボックス１６７３に表示する。
【０２４４】
次に、フォント確認欄１６８０について説明を行う。
【０２４５】
フォント確認欄１６８０は、任意の文字についての立体印刷の効果を確認する為の欄である。
【０２４６】
フォント確認欄１６８０においても、立体パターン確認欄１６０１と同じように、立体化オブジェクトの印字機能について、高さと、盛り上がり形状と、立体強調について選択することができるＣＢとＣＭＢとが配置される。
【０２４７】
そして、配置されたＣＢ等の下に文字を入力することができる文字入力ウィンドウ１６８１が配置され、文字入力ウィンドウ１６８１の下には入力開始ボタン１６８２とＯＫボタン１６８３とが配置される。
【０２４８】
フォント確認欄１６８０においては、入力開始ボタン１６８２が押されることによって、文字入力ウィンドウ１６８１に文字を入力することができる状態となり、ユーザにより任意の文字が入力され、ＯＫボタン１６８３が押されることで、文字入力ウィンドウに入力された文字が、フォント確認欄１６８０内の選択された印字機能で立体印刷される設定が完了する。
【０２４９】
文字の入力方法については、例えば、ワープロソフトで生成された文字を、該ワープロソフトからコピーしてフォント確認欄１６８１に貼り付けることでも入力することを可能とする。
【０２５０】
このフォント確認欄１６８０の機能を利用して、ユーザは、任意の文字が、選択した印字機能で立体印刷された状態を、サンプルプリント１７００で確認することができる。
【０２５１】
次に、罫線確認欄１６９０について説明を行う。
【０２５２】
罫線確認欄１６９０は、任意の罫線についての立体印刷の効果を確認する為の欄である。
【０２５３】
罫線確認欄１６９０においても、立体パターン確認欄１６０１と同じように、立体化オブジェクトの印字機能について、高さと、盛り上がり形状と、立体強調について選択することができるＣＢとＣＭＢとが配置される。
【０２５４】
そして、配置されたＣＢ等の下に、罫線が入力される、罫線入力ウィンドウ１６９１が配置され、罫線入力ウィンドウ１６９１の下には入力開始ボタン１６９２とＯＫボタン１６９３とが配置される。
【０２５５】
罫線入力ウィンドウ１６９１においては、入力開始ボタンが押されることによって、入力することが可能となり、入力後、ＯＫボタン１６９３が押されることによって、入力が完了される。
【０２５６】
罫線の入力方法については、フォント確認欄１６８０と同様に、例えば、マイクロソフトのワード等のワープロソフトで生成された罫線を、該ワープロソフトからコピーして罫線入力ウィンドウ１６９１に貼り付けることで入力することを可能とする。
【０２５７】
この罫線確認欄１６９０の機能を利用して、ユーザは、任意の罫線が選択された印字機能で立体印刷された状態を、サンプルプリント１７００で確認することができる。
【０２５８】
次に、イメージ確認欄１６９５について説明を行う。
【０２５９】
イメージ確認欄１６９５は、任意のイメージについての立体印刷の効果を確認する為の欄である。
【０２６０】
イメージ確認欄１６９５においても、立体パターン確認欄１６０１と同じように、立体化オブジェクトの印字機能について、高さと、盛り上がり形状と、立体強調について選択することができるＣＢとＣＭＢとが配置される。
【０２６１】
そして、配置されたＣＢ等の下に、イメージが入力される、イメージ入力ウィンドウ１６９６が配置され、イメージ入力ウィンドウ１６９６の下には入力開始ボタン１６９７とＯＫボタン１６９８が配置される。
【０２６２】
イメージ入力ウィンドウ１６９６においては、入力開始ボタン１６９７が押されることによって、入力することが可能となり、入力後、ＯＫボタン１６９８が押されることによって、入力が完了される。
【０２６３】
イメージの入力方法については、例えば、マイクロソフトのワード等のワープロソフトで生成されたイメージを、該ワープロソフトからコピーしてイメージ入力ウィンドウ１６９８に貼り付けることが可能とする。
【０２６４】
このイメージ確認欄１６９０を利用して、ユーザは、各種イメージが選択された印字機能で立体印刷された状態を、立体印刷されたサンプルプリント１７００で確認することができる。
【０２６５】
なお、フォント入力ウィンドウ１６８１、罫線入力ウィンドウ１６９１、イメージ入力ウィンドウ１６９６に入力されるデータは、必ずしもそれぞれのウィンドウにつけられた名前のデータである、文字、罫線、イメージがウィンドウの名前に対応して入力される必要はなく、例えば、罫線入力ウィンドウ１６９１に、イメージ入力ウィンドウ１６９６に入りきらなかったイメージを入力して、罫線確認欄１６９０において、立体印刷されるイメージを確認する状態に設定することも可能とする。
【０２６６】
次に、ユーザ・インタフェース画面１６００において印字機能の設定が行われて、印刷される立体印刷の印字機能を予め確認することができるサンプルプリント１７００について図１７を参照して詳しく説明する。
【０２６７】
図１７は、立体印刷の印字機能を予め確認することができるサンプルプリント１７００を示す構成図である。
【０２６８】
サンプルプリント１７００においては、立体パターン印刷結果欄１７０１、色味印刷結果欄１７７０、フォント印刷結果欄１７８０、罫線印刷結果欄１７９０、イメージ印刷結果欄１７９５がユーザ・インタフェース画面１６００の立体パターン確認欄１６０１、色味確認欄１６７０、フォント確認欄１６８０、罫線確認欄１６９０、イメージ確認欄１６９５に対応して、印刷される。
【０２６９】
ユーザ・インタフェース画面１６００においては、上部に立体パターン確認欄１６０１を配置し、その下に色味確認欄１６７０を配置し、その下に、フォント確認欄１６８０と罫線確認欄１６９０と、イメージ確認欄１６９５を配置したのであるが、サンプルプリント１７００においても配置場所は同じで、上部に立体パターン印刷結果欄１７０１、その下に、色味印刷結果欄１７７０、その下に、フォント印刷結果欄１７８０と罫線印刷結果欄１７９０とイメージ印刷結果欄１７９５が配置され、印刷される。
【０２７０】
なお、フォント印刷結果欄１７８０、罫線印刷結果欄１７９０、イメージ印刷結果欄１７９５に印刷されるオブジェクトの大きさによっては、それぞれ、色味印刷結果欄１７７０の下に配置されるのではなくて、次のページ渡って、配置されるような構成も可能とする。
【０２７１】
サンプルプリント１７００の立体パターン印刷結果欄１７０１には、ユーザ・インタフェース画面１６００における配置と同様の配置で、指定範囲Ａ−１７１０から指定範囲Ｆ−１７６０が配置されており、指定範囲Ａ−１７１０においては、ユーザ・インタフェース画面１６００の指定範囲Ａ−１６１０で設定された印字機能で立体印刷されたオブジェクトが印刷され、設定された印字機能の内容が印刷される。
【０２７２】
すなわち、指定範囲Ａ−１７１０には、ユーザ・インタフェース画面１６００の指定範囲Ａ−１６１０で設定された、高さが１ｍｍであって、盛り上がり形状が角型の状態で、アルファベットのＡが立体印刷されており、また、印字機能を分かりやすく確認できるようにするために、長方形の四角が該アルファベットＡと同じ印字機能で立体印刷され、設定された印字機能の内容である「１ｍｍ  角型」が印刷される。
【０２７３】
また、指定範囲Ｂ−１７２０においては、ユーザ・インタフェース画面１６００の指定範囲Ｂ−１６２０で設定された印字機能で立体印刷されたオブジェクトが存在する。
【０２７４】
すなわち、高さが２ｍｍであって、盛り上がり形状が角型であって、立体を強調するために立体に縁取りがなされた状態で、アルファベットのＡが立体印刷されており、また、印字機能を分かりやすくするために、長方形の四角が該アルファベットＡと同じ印字機能で立体印刷され、設定された印字機能の内容である「２ｍｍ  角型  縁取り」が印刷される。
【０２７５】
また、指定範囲Ｃ−１７３０においては、ユーザ・インタフェース画面１６００の指定範囲Ｃ−１６３０で設定された印字機能で立体印刷されたオブジェクトが存在する。
【０２７６】
すなわち、高さが２ｍｍであって、盛り上がり形状が丸型の状態で、アルファベットのＡが立体印刷されており、また、印字機能を分かりやすくするために、長方形の四角が該アルファベットＡと同じ印字機能で立体印刷され、設定された印字機能の内容である「２ｍｍ  丸型」が印刷される。
【０２７７】
また、指定範囲Ｄ−１７４０においては、ユーザ・インタフェース画面１６００の指定範囲Ｄ−１６４０で設定された印字機能で立体印刷されたオブジェクトが存在する。
【０２７８】
すなわち、高さが１ｍｍであって、盛り上がり形状がとんがり型の状態で、アルファベットのＡが立体印刷されており、また、印字機能を分かりやすくするために、長方形の四角が該アルファベットＡと同じ印字機能で立体印刷され、設定された印字機能の内容である「１ｍｍ  とんがり型」が印刷される。
【０２７９】
また、指定範囲Ｅ−１７５０においては、ユーザ・インタフェース画面１６００の指定範囲Ｅ−１６５０で設定された印字機能で立体印刷されたオブジェクトが存在する。
【０２８０】
すなわち、高さが２ｍｍであって、盛り上がり形状がとんがり型の状態で、アルファベットのＡが立体印刷されており、また、印字機能を分かりやすくするために、長方形の四角が該アルファベットＡと同じ印字機能で立体印刷され、設定された印字機能の内容である「２ｍｍ  とんがり型」が印刷される。
【０２８１】
また、指定範囲Ｆ−１７６０においては、ユーザ・インタフェース画面１６００の指定範囲Ｆ−１６６０で設定された印字機能で立体印刷されたオブジェクトが存在する。
【０２８２】
すなわち、高さが１ｍｍであって、盛り上がり形状が丸型であって、立体化オブジェクトを強調するために、影がつけられた状態で、アルファベットのＡが立体印刷されており、また、印字機能を分かりやすくするために、長方形の四角が該アルファベットＡと同じ印字機能で立体印刷され、設定された印字機能の内容である「１ｍｍ  丸型  影付」が印刷される。
【０２８３】
このように、ユーザ・インタフェース画面１６００のそれぞれの指定範囲で設定された印字機能によって、サンプルプリント１７００のそれぞれの指定範囲にそれぞれ設定された印字機能でアルファベットＡと長方形の四角が立体印刷され、設定された印字機能の内容が印刷されて、立体印刷の印字機能の効果を容易に確認することができる。
【０２８４】
次に、サンプルプリント１７００の色味印刷結果欄１７７０について説明する。
【０２８５】
色味印刷結果欄１７７０については、ユーザ・インタフェース画面１６００の色味確認欄１６７０で選択された色によって着色された、立体印刷されたオブジェクト１７７１と立体印刷されずに印刷されたオブジェクト１７７２が配置される。
【０２８６】
立体印刷されたオブジェクト１７７１については、ユーザ・インタフェース画面１６００の色味確認欄１６７０において選択された高さ、盛り上がり形状、立体強調の印字機能によって長方形の四角が立体印刷され、該印字機能の内容が印刷される。
【０２８７】
着色された立体印刷されたオブジェクトは上の段に配置され、着色された立体印刷されずに印刷されたオブジェクト１７７２は下の段に配置されているので、ユーザは、下の段と上の段に印刷されたオブジェクトを比較することで、立体印刷後の色味の確認を、色味印刷結果欄１７７０において確認することができる。
【０２８８】
次に、サンプルプリント１７００のフォント確認欄１７８０について説明を行う。
【０２８９】
フォント印刷結果欄１７８０においては、ユーザ・インタフェース画面１６００のフォント確認欄１６８０に入力された文字が、フォント確認欄１６８０で選択された印字機能で立体印刷され、選択された印字機能の内容が印刷される。
【０２９０】
また、罫線印刷結果欄１７９０においては、ユーザ・インタフェース画面１６００の罫線確認欄１７９０に入力された罫線が、罫線確認欄１７９０で選択された印字機能で立体印刷され、選択された印字機能の内容が印刷される。
【０２９１】
また、イメージ印刷結果欄１７９５においては、ユーザ・インタフェース画面１６００のイメージ確認欄１６９５に入力されたイメージが、イメージ確認欄１６９５で選択された印字機能で立体印刷され、選択された印字機能の内容が印刷される。
【０２９２】
このように、サンプルプリント１７００は、ユーザ・インタフェース画面１６００で設定された印字機能が使用されて立体印刷が行われ、設定された印字機能の内容が印刷されるので、印刷された印字機能の内容と立体印刷された印刷物を確認することによって、立体印刷における立体の高さ、盛り上がり形状、立体の強調方法、色味等の立体印刷の印字機能の効果が容易に確認される。
【産業上の利用可能性】
【０２９３】
本発明は、画像データを立体プリントとして立体印刷させる際に利用可能である。
【０２９４】
この発明によれば、立体プリントとして立体印刷される画像の印刷結果を容易に確認することができる。
【図面の簡単な説明】
【０２９５】
【図１】画像形成処理装置内の、立体化オブジェクトを含む画像の印刷プレビュー表示を行なうアプリケーションの働きについて示すブロック図。
【図２】ユーザが立体化オブジェクトを含む画像の印刷イメージを確認することができる印刷プレビュー画面２００を示す構成図。
【図３】印刷プレビュー画面２００の高さの比率ボタン２１１がクリックされて表示される高さの比率設定画面３００を示す構成図。
【図４】プレビュー表示方法設定画面４００を示す構成図。
【図５】プレビュー表示方法設定画面４００の色の選択ボタン５０９をクリックして表示される色の選択画面５００を示す構成図。
【図６】本発明の印刷プレビュー方法を適用した印刷プレビュー画面Ａ−６００を示す画面構成図。
【図７】立体化オブジェクトを含むドキュメントが印刷プレビュー表示された様子を示した印刷プレビュー画面Ｂ−７００を示す画面構成図。
【図８】印刷プレビュー画面Ｂ−７００よりプレビュー拡大率を５００％から９００％に上げた状態である印刷プレビュー画面Ｃ−８００を示す画面構成図。
【図９】印刷プレビュー画面Ｂ−７００より高さ方向拡大率を１００％から２００％に上げた状態である印刷プレビュー画面Ｄ−９００を示す画面構成図。
【図１０】「ＡＢＣ」と書かれた立体オブジェクトを含むドキュメントが印刷プレビューされて、断面形状が表示された印刷プレビュー画面Ｅ−１０００を示す画面構成図。
【図１１】印刷プレビュー画面Ｅ−１０００より断面形状拡大率を１００％から２００％に上げた状態である印刷プレビュー画面Ｆ−１１００を示す画面構成図。
【図１２】印刷プレビュー画面Ｅ−１０００より断面形状の高さ方向拡大率を１００％から４００％に上げた状態である印刷プレビュー画面Ｇ−１２００を示す画面構成図。
【図１３】立体指定されたオブジェクトを含むドキュメントが、虫眼鏡アイコン６０４と断面虫眼鏡アイコン６０５を両方同時に使用されて、印刷プレビュー表示された様子を示す印刷プレビュー画面Ｈ−１３００を示す画面構成図。
【図１４】虫眼鏡アイコン６０４と断面虫眼鏡アイコン６０５が立体オブジェクトの同じ場所を選択して、印刷プレビュー表示した印刷プレビュー画面Ｉ−１４００を示す画面構成図。
【図１５】本発明を適用した印刷処理方法を実施する図示しないパーソナルコンピュータと図示しない画像形成装置からなるシステムにおける処理フローを示すフローチャート。
【図１６】立体印刷の印字機能を予め確認するサンプルプリントを印刷するために、立体印刷の印字機能の設定がユーザによって行われるユーザ・インタフェース画面１６００の一例を示す図。
【図１７】立体印刷の印字機能を予め確認することができるサンプルプリント１７００を示す構成図。
【符号の説明】
【０２９６】
２００    印刷プレビュー画面
３００    高さの比率設定画面
４００    プレビュー表示方法設定画面
５００    色の選択画面
６００    印刷プレビュー画面Ａ
６０１    プレビューエリア
６０２    拡大プレビューエリア
６０３    断面形状プレビューエリア
６０４    虫眼鏡アイコン
６０５    断面虫眼鏡アイコン
６１０    断面形状表示を選択する直線
７００    印刷プレビュー画面Ｂ
７０１    立体化オブジェクト
７０２    立体化オブジェクト
８００    印刷プレビュー画面Ｃ
９００    印刷プレビュー画面Ｄ
１０００    印刷プレビュー画面Ｅ
１００１    断面形状図
１１００    印刷プレビュー画面Ｆ
１１０１    断面形状図
１２００    印刷プレビュー画面Ｇ
１３００    印刷プレビュー画面Ｈ
１４００    印刷プレビュー画面Ｉ
１６００    ユーザ・インタフェース画面
１６０１    立体パターン確認欄
１６７０    色味確認欄
１６８０    フォント確認欄
１６９０    罫線確認欄
１６９５    イメージ確認欄
１７００    サンプルプリント
１７０１    立体パターン印刷結果欄
１７７０    色味印刷結果欄
１７８０    フォント印刷結果欄
１７９０    罫線印刷結果欄
１７９５    イメージ印刷結果欄
【図１】
2006252288.tif 000003
【図２】
2006252288.tif 000004
【図３】
2006252288.tif 000005
【図４】
2006252288.tif 000006
【図５】
2006252288.tif 000007
【図６】
2006252288.tif 000008
【図７】
2006252288.tif 000009
【図８】
2006252288.tif 000010
【図９】
2006252288.tif 000011
【図１０】
2006252288.tif 000012
【図１１】
2006252288.tif 000013
【図１２】
2006252288.tif 000014
【図１３】
2006252288.tif 000015
【図１４】
2006252288.tif 000016
【図１５】
2006252288.tif 000017
【図１６】
2006252288.tif 000018
【図１７】
2006252288.tif 000019